(57)【要約】【課題】パネル面に対して清掃後に余分な成分を残さず、適切な太陽光パネルユニットの保守管理を行うことができる太陽光パネル清掃装置を提供する。【解決手段】パネル面３を有する太陽光パネル２を複数並べて設置した太陽光パネルユニット１の維持管理においてパネル面３の清掃を行う太陽光パネル清掃装置１０であって、太陽光パネルユニット１上を移動しながら太陽光パネルユニット１に対する清掃作業を行う清掃手段５０を有しており、清掃手段５０は、パネル面３に水を供給する水供給手段６０を有しており、水供給手段６０から供給される水は、カルキ成分を含まない水である。【選択図】図１
2018030050.tif 000002
【特許請求の範囲】
【請求項１】
パネル面を有する太陽光パネルを複数並べて設置した太陽光パネルユニットの維持管理において前記パネル面の清掃を行う太陽光パネル清掃装置であって、
前記太陽光パネルユニット上を移動しながら前記太陽光パネルユニットに対する清掃作業を行う清掃手段を有しており、
前記清掃手段は、前記パネル面に水を供給する水供給手段を有しており、
前記水供給手段から供給される水は、カルキ成分を含まない水であることを特徴とする太陽光パネル清掃装置。
【請求項２】
前記水供給手段から供給される水は、純水であることを特徴とする請求項１に記載の太陽光パネル清掃装置。
【請求項３】
純水は、ＪＩＳ  Ｋ  ０５５７規格におけるＡ２に分類されるものを使用することを特徴とする請求項２に記載の太陽光パネル清掃装置。
【請求項４】
前記水供給手段は、水道水から純水を精製する純水器と、前記純水器で精製した純水を送り出す加圧装置と、前記加圧装置によって送り出された純水を前記パネル面に供給する供給器とを有することを特徴とする請求項２又は３に記載の太陽光パネル清掃装置。
【請求項５】
前記水供給手段は、予め精製された純水を貯留するタンクと、前記タンクから純水を送り出す加圧装置と、前記加圧装置によって送り出された純水を前記パネル面に供給する供給器とを有することを特徴とする請求項２又は３に記載の太陽光パネル清掃装置。
【請求項６】
前記太陽光パネルユニット上を走行する走行体を有しており、
前記清掃手段は、前記走行体によって移動しながら前記太陽光パネルユニットに対する清掃作業を行うようになっていることを特徴とする請求項１乃至５の何れかに記載の太陽光パネル保守装置。
【請求項７】
前記清掃手段は、前記パネル面上で回転して清掃を行う回転ブラシと、前記水供給手段とを有しており、
前記水供給手段は、前記回転ブラシの進行方向の前方及び／又は後方の前記パネル面に水を供給するようになっていることを特徴とする請求項１乃至６の何れかに記載の太陽光パネル清掃装置。
【発明の詳細な説明】
【技術分野】
【０００１】
この発明は、太陽光パネルの発電能力の低下を防ぎ、効率良く発電等するために保守管理を行う際に用いる太陽光パネル清掃装置に関するものである。
【背景技術】
【０００２】
従来、太陽光パネルを複数並べて設置した太陽光パネルユニットにおける各太陽光パネルの発電能力の低下を防ぐために、太陽光パネルにおいて太陽と対峙するパネル面を清掃する清掃装置が知られている（例えば、特許文献１参照）。このような清掃装置においては、太陽光パネルのパネル面に接触する回転ブラシやパネル面に水を供給する水供給手段等を有する清掃手段を有しており、太陽光パネルのパネル面上を、水を供給しながら回転ブラシで清掃していくようになっているものが多い。
【先行技術文献】
【特許文献】
【０００３】
【特許文献１】特開２０１５−１３８８５４号公報
【発明の概要】
【発明が解決しようとする課題】
【０００４】
ここで、従来の太陽光パネルの清掃装置では、パネル面上に供給する水に水道水等を使用しているため、清掃後に水道水に含まれるカルキ成分等がパネル面上に析出してしまうことがあり、その結果、パネル面の下部の発電装置に到達する光量が減少して発電能力の低下を招く虞があった。
【０００５】
そこで、この発明は、パネル面に対して清掃後に余分な成分を残さず、適切な太陽光パネルユニットの保守管理を行うことができる太陽光パネル清掃装置を提供することを課題としている。
【課題を解決するための手段】
【０００６】
かかる課題を達成するために、請求項１に記載の発明は、パネル面を有する太陽光パネルを複数並べて設置した太陽光パネルユニットの維持管理において前記パネル面の清掃を行う太陽光パネル清掃装置であって、前記太陽光パネルユニット上を移動しながら前記太陽光パネルユニットに対する清掃作業を行う清掃手段を有しており、前記清掃手段は、前記パネル面に水を供給する水供給手段を有しており、前記水供給手段から供給される水は、カルキ成分を含まない水である太陽光パネル清掃装置としたことを特徴とする。
【０００７】
また、請求項２に記載の発明は、請求項１に記載の構成に加え、前記水供給手段から供給される水は、純水である太陽光パネル清掃装置としたことを特徴とする。
【０００８】
また、請求項３に記載の発明は、請求項２に記載の構成に加え、純水は、ＪＩＳ  Ｋ  ０５５７規格におけるＡ２に分類されるものを使用する太陽光パネル清掃装置としたことを特徴とする。
【０００９】
また、請求項４に記載の発明は、請求項２又は３に記載の構成に加え、前記水供給手段は、水道水から純水を精製する純水器と、前記純水器で精製した純水を送り出す加圧装置と、前記加圧装置によって送り出された純水を前記パネル面に供給する供給器とを有する太陽光パネル清掃装置としたことを特徴とする。
【００１０】
また、請求項５に記載の発明は、請求項２又は３に記載の構成に加え、前記水供給手段は、予め精製された純水を貯留するタンクと、前記タンクから純水を送り出す加圧装置と、前記加圧装置によって送り出された純水を前記パネル面に供給する供給器とを有する太陽光パネル清掃装置としたことを特徴とする。
【００１１】
また、請求項６に記載の発明は、請求項１乃至５の何れかに記載の構成に加え、前記太陽光パネルユニット上を走行する走行体を有しており、前記清掃手段は、前記走行体によって移動しながら前記太陽光パネルユニットに対する清掃作業を行うようになっている太陽光パネル清掃装置としたことを特徴とする。
【００１２】
また、請求項７に記載の発明は、請求項１乃至６の何れかに記載の構成に加え、前記清掃手段は、前記パネル面上で回転して清掃を行う回転ブラシと、前記水供給手段とを有しており、前記水供給手段は、前記回転ブラシの進行方向の前方及び／又は後方の前記パネル面に水を供給するようになっている太陽光パネル清掃装置としたことを特徴とする。
【発明の効果】
【００１３】
請求項１に記載の発明によれば、太陽光パネルユニットに対する清掃作業に当たって、水供給手段からパネル面にカルキ成分を含まない水が供給されるようになっているため、清掃後にパネル面が乾燥した際に、パネル面上にカルキ成分が析出することを防ぎ、パネル面の下部の発電装置に到達する光量がカルキ成分の析出で減少することを防止することができ、その結果、適切な太陽光パネルユニットの保守管理を行うことができる。
【００１４】
また、請求項２に記載の発明によれば、水供給手段からパネル面に純水が供給されるようになっているため、カルキ成分以外の余分な成分も含まない純水によって、清掃後にパネル面が乾燥した際に、パネル面上にカルキ成分等の余分な成分が析出することを防ぎ、パネル面の下部の発電装置に到達する光量がカルキ成分等の余分な成分の析出で減少することを防止することができ、その結果、より適切な太陽光パネルユニットの保守管理を行うことができる。
【００１５】
また、請求項３に記載の発明によれば、ＪＩＳ  Ｋ  ０５５７規格におけるＡ２に分類される純水を使用することで、カルキ成分等の余分な成分をパネル面上に析出させず、かつ、高純度の水によるパネル面の溶解等の虞もない、適度な状態で清掃を行うことができる。
【００１６】
また、請求項４に記載の発明によれば、現場に水道設備がある場合に、水道水から純水器を用いて純水を作りながら加圧装置と供給器でパネル面に純水を供給することができ、現場の設備を用いて効率的に太陽光パネルユニットの清掃を行うことができる。
【００１７】
また、請求項５に記載の発明によれば、現場に水道設備等がなくても、タンクに貯留した純水を用いて加圧装置と供給器でパネル面に純水を供給することができ、設備の整っていない環境でも確実に太陽光パネルユニットの清掃を行うことができる。
【００１８】
また、請求項６に記載の発明によれば、走行体で移動しながら清掃作業を行うことで、清掃作業を自動化でき、効率的に太陽光パネルユニットの清掃を行うことができる。
【００１９】
また、請求項７に記載の発明によれば、清掃手段が回転ブラシと水供給手段を有しているため、水を供給しながら回転ブラシで汚れを落としていくことができ、確実かつ効率良く太陽光パネルユニットの清掃を行うことができる。
【図面の簡単な説明】
【００２０】
【図１】この発明の実施の形態１に係る太陽光パネル清掃装置を太陽光パネルユニット上に配置した状態を示す平面図である。
【図２】同実施の形態１に係る太陽光パネル清掃装置の一部の拡大断面図である。
【図３】この発明の実施の形態２に係る太陽光パネル清掃装置を太陽光パネルユニット上に配置した状態を示す平面図である。
【発明を実施するための形態】
【００２１】
以下、この発明の実施の形態について、図面を参照して詳細に説明する。
［発明の実施の形態１］
図１，図２には、この発明の実施の形態１を示す。
【００２２】
この実施の形態の太陽光パネル清掃装置１０は、図１に示すような、太陽光パネルユニット１の表面の清掃を行うものであり、太陽光パネルユニット１上を走行する走行体としての走行輪４２と、この走行輪４２によって移動しながら太陽光パネルユニット１に対する清掃作業を行う清掃手段５０とを有している。
【００２３】
まず、この実施の形態の太陽光パネルユニット１について説明する。この太陽光パネルユニット１は、図１に示すように、所定角度斜めにした複数の太陽光パネル２を前後左右に並べて設置したものである。ここでは、前後方向（厳密には後方に向かうに連れて徐々に上昇する斜め方向。以下、斜め上下方向ともいう）Ｌに６枚、左右方向（略水平方向）Ｐに１０枚（一部のみ図示）並べて設置している。それぞれの太陽光パネル２は、太陽光発電を行うために太陽光を取り込むパネル面３とその下部に配置された発電装置（図示省略）とを有するパネル本体４と、その周囲に設けられた縁部５とを有している。このうち、パネル面３はガラスで構成されており、縁部５はアルミ等の金属で構成されている。
【００２４】
次に、この実施の形態の太陽光パネル清掃装置１０について説明する。この太陽光パネル清掃装置１０は、図１，図２に示すように、基礎部材２０と、当該基礎部材２０に搭載される清掃装置本体３０とを有しており、この清掃装置本体３０に、走行輪４２と清掃手段５０が備えられている。また、清掃手段５０の一部として、水供給手段６０を有している。
【００２５】
このうち、基礎部材２０は、図１に示すように、清掃装置本体３０を取り付けて太陽光パネルユニット１の略水平方向Ｐに安定して移動させるものであり、太陽光パネルユニット１の斜め上下方向Ｌを貫くように太陽光パネルユニット１上に配設された２本のバー２１と、当該バー２１に固定されて太陽光パネルユニット１の上端側面１ａと下端側面１ｂに当接する端部材２２，２３とを有している。また、端部材２２，２３には、上端側面１ａと下端側面１ｂに対向するように車輪２４，２５が設けられており、バー２１に固定された上下の端部材２２，２３の車輪２４，２５で上下から太陽光パネルユニット１を挟持するようになっている。これにより、基礎部材２０が太陽光パネルユニット１に対して安定した状態で取り付けられ、車輪２４，２５で略水平方向Ｐに移動させることができるように構成されている。
【００２６】
また、清掃装置本体３０は、太陽光パネルユニット１の斜め上下方向Ｌ全体を覆う大きさに形成されており、フレーム３５に、太陽光パネル２のパネル面３の清掃を行う清掃手段５０と、この清掃手段５０を基礎部材２０に搭載した状態で略水平方向Ｐに移動させる移動装置３１とが配置されている。
【００２７】
このうち、清掃手段５０は、図２に示すように、太陽光パネルユニット１の斜め上下方向である軸方向Ｌに沿って、左右２列に設置された回転ブラシ５１を有しており、それぞれの列では千鳥状に２本の回転ブラシ５１が配設されている。また、回転ブラシ５１の両外側に、弾性力を有する板状の遮蔽ブラシ５２が設けられている。また、回転ブラシ５１の右斜め上方と左斜め上方には、水供給手段６０の一部を構成し、清掃時に水を撒く供給器としての散水管６３が１つずつ設けられている。また、回転ブラシ５１を回転駆動させるブラシ用モータ５４が左右１箇所ずつ設けられている。このブラシ用モータ５４と回転ブラシ５１はチェーン等の伝達手段５５で繋がれて駆動力を伝達するようになっている。
【００２８】
また、清掃手段５０の一部として、図１，図２に示すように、純水器６１，加圧装置６２，前記した供給器としての散水管６３，電源装置６４を備えた水供給手段６０を有している。この水供給手段６０は、太陽光パネルユニット１の清掃に用いる水を水道水から純水に変えた上で、太陽光パネル２のパネル面３に供給するものである。
【００２９】
この水供給手段６０のうち、純水器６１は、フィルタ濾過等によって水道水から純水を精製するものである。ここでは、ＪＩＳ  Ｋ  ０５５７規格におけるＡ２に分類されるものが精製されるようになっている。
【００３０】
また、加圧装置６２は、精製された純水をホースを介して散水管６３に送るために水を加圧するものである。ここでは、水道水を純水器６１に送ると共に当該純水器６１で精製された純水を散水管６３に送るまでの役割を担っている。
【００３１】
また、散水管６３は、ホースを介して送られてきた純水をパネル面３に供給するものである。ここでは、太陽光パネルユニット１の斜め上下方向Ｌに沿って延びる管状に形成されており、その管の途中に下方に向けた複数の孔が設けられている。この複数の孔から、精製された純水がパネル面に向けて散水されるようになっている。なお、ここでは、回転ブラシ５１の右斜め上方と左斜め上方の双方に散水管６３が設けられており、清掃時の回転ブラシ５１の進行方向Ｐの前方と進行方向Ｐの後方の双方に散水するようになっている。
【００３２】
また、電源装置６４は、加圧装置６２を作動させるための電源を供給するものである。ここでは、ガソリン等の燃料で発電する発電機が使用されている。
【００３３】
また、移動装置３１は、図２に示すように、電源ユニットを兼ねたコントロールユニット３２と、走行体用モータ３３と、回転軸４１と、走行輪４２とを有している。コントロールユニット３２は、作業者が操作するリモコン等からの指示を受けて走行体用モータ３３等に駆動信号を与えるものである。走行体用モータ３３は、コントロールユニット３２からの駆動信号を受けて駆動力を発生させるようになっている。また、走行体用モータ３３と回転軸４１とは、チェーン等の伝達手段（図示省略）で繋がれて駆動力を伝達するようになっている。
【００３４】
また、回転軸４１は、２本の回転ブラシ５１の間に配置されており、太陽光パネルユニット１の斜め上下方向である軸方向Ｌに沿って設けられており、当該回転軸４１の所定位置に複数設けられた走行輪４２が固定されている。この回転軸４１に伝達手段３４が繋がれており、走行体用モータ３３からの駆動力が伝えられるようになっている。また、回転軸４１は、ベアリング等を有する支持部材（図示省略）によって清掃装置本体３０のフレーム３５に対して回動可能に支持されている。
【００３５】
また、走行輪４２は、太陽光パネル２における縁部５のうちの上部側の上又は下部側の上を通るように配設されており、ここでは、図１に示すように、斜め上下方向Ｌに６枚の太陽光パネル２が配置されているため、合計７箇所の縁部５を通る１４個の走行輪４２が配設されている。
【００３６】
次に、この実施の形態の作用について説明する。
【００３７】
まず、太陽光パネルユニット１の上端側面１ａに端部材２２を配置し、下端側面１ｂに端部材２３を配置する。そして、その間にバー２１を配置し、当該バー２１に清掃装置本体３０を通して、基礎部材２０及び清掃装置本体３０を太陽光パネルユニット１の所定位置に配設する。
【００３８】
また、純水器６１と加圧装置６２及び純水器６１と散水管６３をそれぞれホースで繋ぎ、加圧装置６２に電源装置６４を接続する。また、加圧装置６２のタンク部分に水道設備から水を供給しておく。
【００３９】
太陽光パネルユニット１上を例えば左から右に清掃装置本体３０を移動させてパネル面３の清掃を行う際には、前記したようにセットした上で、加圧装置６２のスイッチをＯＮにして純水器６１で精製された純水を送り出して散水管６３から散水させると共に、所定の開始スイッチを押す等により移動装置３１で清掃装置本体３０を略水平方向Ｐに移動させながら清掃手段５０に清掃を開始させる。
【００４０】
清掃中は、回転ブラシ５１の進行方向Ｐの前方と後方の双方の散水管６３からパネル面３に対して純水を散水し続けると共に、回転ブラシ５１を回転させる。これにより、純水を散水した状態で回転ブラシ５１でパネル面３をブラシで擦り、その後、もう一度純水でパネル面３を洗い流すこととなる。その結果、当該清掃後にパネル面３上に残った水は純水であるため、乾燥後にカルキ成分等の余分な成分がパネル面３に残ることがないため、綺麗な仕上がりとなり、適切な太陽光パネルユニット１の保守管理を行うことができる。
［発明の実施の形態２］
次に、この発明の実施の形態２について説明する。図３には、この発明の実施の形態２を示す。なお、以下に記載する点以外については、前記した実施の形態１と同様であるので、説明を省略する。
【００４１】
この実施の形態２では、太陽光パネルユニット１の設置場所に水道設備がない場合の構成を示すものであり、水供給手段６０の一部の構成が異なる他は、前記した実施の形態１と同様の構成である。
【００４２】
この実施の形態２の水供給手段６０は、清掃手段５０の一部として、図３に示すように、タンク６１Ａ，加圧装置６２，散水管６３，電源装置６４を備えている。この水供給手段６０は、太陽光パネルユニット１の清掃に用いる水として別の場所で精製して予めタンク６１Ａに溜めた純水を用いるようになっており、太陽光パネル２のパネル面３にこの純水を供給するものである。
【００４３】
タンク６１Ａには、別の場所でフィルタ濾過等によって水道水から精製された純水が溜められており、ここでは、前記した実施の形態１と同様にＪＩＳ  Ｋ  ０５５７規格におけるＡ２に分類されるものが溜められている。
【００４４】
また、加圧装置６２は、タンク６１Ａの中の純水をホースを介して散水管６３に送るために水を加圧するものである。また、散水管６３は、ホースを介して送られてきた純水をパネル面３に供給するものである。ここでは、太陽光パネルユニット１の斜め上下方向Ｌに沿って延びる管状に形成されており、その管の途中に下方に向けた複数の孔が設けられている。この複数の孔から、精製された純水がパネル面３に向けて散水されるようになっている。
【００４５】
次に、この実施の形態の作用について説明する。
【００４６】
まず、前記した実施の形態１と同様に、基礎部材２０及び清掃装置本体３０を太陽光パネルユニット１の所定位置に配設する。
【００４７】
また、タンク６１Ａと加圧装置６２及び加圧装置６２と散水管６３をそれぞれホースで繋ぎ、加圧装置６２に電源装置６４を接続する。なお、加圧装置６２の下部のタンク部分にタンク６１Ａから純水を供給し、ここから散水管６３に純水を供給する構成となっている。
【００４８】
太陽光パネルユニット１上を例えば左から右に清掃装置本体３０を移動させてパネル面３の清掃を行う際には、前記したようにセットした上で、加圧装置６２のスイッチをＯＮにして散水管６３から純水を散水させると共に、所定の開始スイッチを押す等により移動装置３１で清掃装置本体３０を略水平方向Ｐに移動させながら清掃手段５０に清掃を開始させる。
【００４９】
以上のように、前記した各実施の形態の太陽光パネル清掃装置１０によれば、太陽光パネルユニット１に対する清掃作業に当たって、水供給手段６０からパネル面３に純水が供給されるようになっているため、清掃後にパネル面３が乾燥した際に、パネル面３上にカルキ成分等の余分な成分が析出することを防ぎ、パネル面３の下部の発電装置に到達する光量がカルキ成分等の余分な成分の析出で減少することを防止することができ、その結果、適切な太陽光パネルユニット１の保守管理を行うことができる。
【００５０】
また、前記した各実施の形態の太陽光パネル清掃装置１０によれば、ＪＩＳ  Ｋ  ０５５７規格におけるＡ２に分類される純水を使用することで、カルキ成分等の余分な成分をパネル面３上に析出させず、かつ、高純度の水によるパネル面３の溶解等の虞もない、適度な状態で清掃を行うことができる。
【００５１】
また、前記した実施の形態１の太陽光パネル清掃装置１０によれば、現場に水道設備がある場合に、水道水から純水器６１を用いて純水を作りながら加圧装置６２と散水管６３でパネル面３に純水を供給することができ、現場の設備を用いて効率的に太陽光パネルユニット１の清掃を行うことができる。
【００５２】
また、前記した実施の形態２の太陽光パネル清掃装置１０によれば、現場に水道設備等がなくても、タンク６１Ａに貯留した純水を用いて加圧装置６２と供給器散水管６３でパネル面３に純水を供給することができ、設備の整っていない環境でも確実に太陽光パネルユニット１の清掃を行うことができる。
【００５３】
また、前記した各実施の形態の太陽光パネル清掃装置１０によれば、走行輪４２で移動しながら清掃作業を行うことで、清掃作業を自動化でき、効率的に太陽光パネルユニット１の清掃を行うことができる。
【００５４】
また、前記した各実施の形態の太陽光パネル清掃装置１０によれば、清掃手段５０が回転ブラシ５１と水供給手段６０を有しているため、水を供給しながら回転ブラシ５１で汚れを落としていくことができ、確実かつ効率良く太陽光パネルユニット１の清掃を行うことができる。
【００５５】
なお、以上説明した各実施の形態は、本発明の理解を容易にするために記載されたものであって、本発明を限定するために記載されたものではない。
【００５６】
例えば、前記した各実施の形態では、基礎部材２０の端部材２２，２３には、太陽光パネルユニット１の上端側面１ａと下端側面１ｂに対向するように車輪２４，２５が設けられており、車輪２４，２５が上端側面１ａと下端側面１ｂに当接しながら略水平方向Ｐに移動するようになっていたが、これに限るものではなく、車輪２４，２５の代わりにキャタピラや上端側面１ａと下端側面１ｂに対して滑動する部材が設けられており、これらを介して基礎部材２０を略水平方向Ｐに移動させるようになっていても良い。
【００５７】
また、前記した各実施の形態では、基礎部材２０の端部材２２，２３で太陽光パネルユニット１を挟持して、基礎部材２０を太陽光パネルユニット１に安定して保持するようになっていたが、これに限るものではなく、別の構成で太陽光パネルユニット１に安定して保持するようになっていても良い。例えば、安定して移動させることができれば、下端側面１ｂに当接する端部材２３を有しておらず、上端側面１ａに当接する端部材２２のみを有しており、この端部材２２に設けられた車輪２４のみで基礎部材２０を略水平方向Ｐに移動させるガイドとなるようになっていても良い。
【００５８】
また、前記した各実施の形態では、清掃手段５０を移動させる走行体としてタイヤ等の走行輪４２が設けられていたが、これに限るものではなく、走行輪４２の代わりにキャタピラや滑動部材等が設けられており、これらが太陽光パネル２上を走行するようになっていても良い。
【００５９】
また、前記した各実施の形態では、清掃手段５０と走行輪４２を有する清掃装置本体３０が、太陽光パネルユニット１の斜め上下方向Ｌ全体を覆う１つの装置で構成されていたが、これに限るものではなく、斜め上下方向の長さがもっと短い１つの清掃装置本体又は基礎部材に沿って複数に分割された清掃装置本体を有しており、このような構成の清掃装置本体が略水平方向に移動すると共に斜め上下方向に移動して清掃を行う構成となっていても良い。
【００６０】
また、清掃手段や移動装置の構成は、前記した実施の形態に記載したものに限るものではなく、適宜の構成を採用しても良い。
【００６１】
また、前記した各実施の形態では、水供給手段６０の供給器としての散水管６３が回転ブラシ５１の左右に設けられており、進行方向Ｐの前方及び後方の双方に純水を供給するようになっていたが、これに限るものではなく、他の構成となっていても良い。例えば、純水の供給器が前方のみで後方にはない構成となっていても良い。また、純水の供給器が後方のみで、前方には洗浄液等が供給される装置が設けられていても良い。また、供給器は散水管のような構成以外でも良く、霧状に噴霧するものや、太陽光パネルの上部側から下部側に水を流すようなもの等、適宜の供給状態であっても良い。
【００６２】
また、前記した各実施の形態では、純水としてＪＩＳ  Ｋ  ０５５７規格におけるＡ２に分類されるものを使用していたが、これに限るものではなく、Ａ３に分類される純水を使用しても良い。また、太陽光パネルの材質や設置状況によっては、さらに高純度のＡ４に分類される純水を用いて清掃を行うようになっていても良い。
【００６３】
また、前記した各実施の形態では、純水器６１で純水を精製してパネル面３に散水するか、予め純水器で精製された純水をタンク６１Ａに溜めておいてパネル面３に散水するようになっていたが、これに限るものではなく、太陽光パネルの材質や設置状況、周辺の水源の水質等によっては、純水の代わりに、浄水器等で水道水からカルキ成分を除去した水や、地下水や川の水や池の水等の天然水をそのまま又は濾過したものでカルキ成分を含まない水を使用しても良い。この場合には、純水ほど余分な成分が除去されている可能性は低いが、少なくともカルキ成分が析出しないものであれば、重大な跡が残ることはなくなるため、一定以上の光量をパネル面の下部の発電装置に到達させることができ、一定以上の太陽光発電を行うことができると言える。
【００６４】
すなわち、本発明に用いる水としては、清掃後にパネル面が乾燥した際に少なくともカルキが析出しないで、太陽光パネルによる発電を阻害することのない水であれば良い。なお、本発明におけるカルキ成分を含まない水とは、乾燥したときにカルキ成分がパネル面上にほぼ析出しない程度のカルキ含有率の水を指すものとする。
【００６５】
このカルキ成分を含まない水についても、前記した実施の形態１のようにその場で精製するようになっていても良いし、前記した実施の形態２のように別の場所で予め精製した水をタンクに溜めて使用するようになっていても良い。さらに、地下水や川の水や池の水のように天然水を現地調達して使用することができれば、コスト的にも有利となる可能性がある。
【符号の説明】
【００６６】
１  太陽光パネルユニット
２  太陽光パネル
３  パネル面
１０  太陽光パネル清掃装置
２０  基礎部材
３０  清掃装置本体
４２  走行輪（走行体）
５０  清掃手段
５１  回転ブラシ
６０  水供給手段
６１  純水器
６１Ａ  タンク
６２  加圧装置
６３  散水管（供給器）
６４  電源装置
Ｌ  斜め上下方向、軸方向
Ｐ  略水平方向、進行方向
【図１】
2018030050.tif 000003
【図２】
2018030050.tif 000004
【図３】
2018030050.tif 000005